(57)【要約】　　　（修正有）【課題】水つけ作業を省略することができると共に、強度を向上させたにもかかわらず、ロール状に巻かれた連続するシート状部材を所定長さに手のみで容易に切り離すことができる段ボール箱補強構造体を提供する。【解決手段】把持部を構成する穴が設けられた段ボールの、穴の周囲部を補強するための段ボール補強構造体であって、ロール状に巻かれた、連続する複数のシート状部材を有し、隣接したシート状部材が切り離し容易な手段によって互いに連結され、各シート状部材が、支持体層と、支持体層の一方の面に形成された強度向上層と、強度向上層に形成された粘着剤層と、支持体層の他方の面に形成された剥離層とを有し、各シート状部材には、支持体層、強度向上層、粘着剤層及び剥離層を貫通する穴が形成されている。【選択図】　　　図２
0003099450.tif 000002
【実用新案登録請求の範囲】
【請求項１】
把持部を構成する穴が設けられた段ボール箱の、前記穴の周囲部を補強するための段ボール箱補強構造体であって、
ロール状に巻かれた、連続する複数のシート状部材を有し、隣接した前記シート状部材が切り離し容易な手段によって互いに連結され、
各前記シート状部材が、
支持体層と、
該支持体層の一方の面に形成された強度向上層と、
該強度向上層に形成された粘着剤層と、
前記支持体層の他方の面に形成された剥離層とを有し、
前記各シート状部材には、前記支持体層、強度向上層、粘着剤層及び剥離層を貫通する穴が形成されている、
段ボール箱補強構造体。
【請求項２】
前記支持体層がクラフト紙で構成され、前記強度向上層がポリエチレンテレフタレートで構成され、前記粘着剤層が感圧接着剤で構成されている、請求項１記載の段ボール箱補強構造体。
【請求項３】
把持部を構成する穴が設けられた段ボール箱の、前記穴の周囲部を補強するための段ボール箱補強構造体であって、
ロール状に巻かれた、連続する複数のシート状部材を有し、隣接した前記シート状部材が切り離し容易な手段によって互いに連結され、
各前記シート状部材が、
第１支持体層と、
該第１支持体層の一方の面に形成された剥離層と、
強度向上層と、
前記第１支持体層の他方の面と前記強度向上層との間に配置された、前記第１支持体層と前記強度向上層との接着力を高めるための第１接着力向上層と、
第２支持体層と、
前記第２支持体層と前記強度向上層との間に配置された、前記第２支持体層と前記強度向上層との接着力を高めるための第２接着力向上層と、
該第２接着力向上層が形成された面と反対側の面で前記第２支持体層に形成された粘着剤層とを有し、
前記各シート状部材には、前記層の全てを貫通する穴が形成されている、
段ボール箱補強構造体。
【請求項４】
前記第１支持体層と前記剥離層との間に配置された、前記剥離層を形成する物質が前記第１支持体層に含浸してしまうのを抑止するための含浸防止層を更に有する、請求項３記載の段ボール箱補強構造体。
【請求項５】
前記第１支持体層及び前記第２支持体層がクラフト紙で構成され、前記強度向上層がポリエチレンテレフタレートで構成され、前記粘着剤層が感圧接着剤で構成されている、請求項３又は請求項４記載の段ボール箱補強構造体。
【考案の詳細な説明】
【０００１】
【考案の属する技術分野】
本考案は、段ボール箱補強構造体に関する。
【０００２】
【従来の技術】
保管、搬送の目的で種々の品物を収容する簡易な収容手段として、従来から、所謂段ボール箱が知られている。
そして、この段ボール箱には、これを手作業で移動するのを容易にするため、段ボール箱の対向する側壁部に穴が設けられているものがある。すなわち、段ボール箱を移動する作業者は、例えば、親指以外の４本の指を段ボール箱の各側壁部に形成された前記穴に差し入れ、これらの指を上向きに折り曲げると共に、手の平の一部及び親指で段ボール箱の頂面部を上から押さえることによって、段ボール箱を容易に持ち上げ、移動させることができる。
しかし、前記穴を段ボール箱に形成すれば、該穴が形成された周囲における段ボール箱の強度及び又は剛性は低下してしまうところ、段ボール箱に重量物を入れた場合に、前記穴を用いて、すなわち、前記穴の周囲を保把持して段ボール箱を移動するときには、前記穴の周囲が破れてしまうことがあった。
【０００３】
このため、把持部を構成する穴が設けられた段ボール箱の、前記穴の周囲部を補強するための段ボール箱補強構造体が開発されている。
この段ボール箱補強構造体は、補強すべき段ボール箱の前記穴と同一寸法形状の穴、前記穴と同一形状であるが全体的にやや大きな寸法の穴、或いは、前記穴の形状は問わず、これより全体的にやや大きな寸法の穴が形成されたシート状部材からなる。
このシート状部材は、段ボール箱の内部側から、段ボール箱の把持部を構成する穴の周囲に貼りつけることによって使用されるが、この貼りつけの際、シート状部材の穴は、段ボール箱の穴がシート状部材によって塞がれないように、段ボール箱の穴の周囲に位置決めされる。
【０００４】
【考案が解決しようとする課題】
この種の既知の段ボール箱補強構造体、すなわち、シート状部材として、出願人の製造に係るものが知られており、このシート状部材は、クラフト紙と、このクラフト紙の一方の面に形成された粘着剤層と、この粘着剤層に配置された剥離紙とからなる積層構造を採用していた。
しかし、このシート状部材では、実質的にクラフト紙のみによって強度を提供していたため、強い負荷が加わったとき、段ボール箱に十分な強度を提供することができない恐れがあった。
【０００５】
また、シート状部材が連続してロール状に巻かれている形態の段ボール箱補強構造体が知られている。
この段ボール箱補強構造体は、構造の詳細は不明であるが、織布層を採用することによって強度を向上させているようであり、また、ロール状に連続して巻かれたシート状部材の内側面、すなちわ、下面には感水性接着剤が形成されている。
このロール状の段ボール箱補強構造体を使用するには、その感水性接着剤に水付けするための水付け装置に、ロール状の段ボール箱補強構造体の先端部を導入して、感水性接着剤に水付けすると共に、所定の長さのシート状部材に切断する必要があった。
【０００６】
ところが、この水付け装置は高価であり、このためかかる装置の使用を回避したいところであるが、その場合には、ロール状の段ボール箱補強構造体から所定の長さのシート状部材をハサミなどの工具を用いて手作業で切り出し、更に、この感水性接着剤層に手作業で水を塗布しなければならないという煩雑さがある。シート状部材の切り出しに工具を要するのは、この段ボール箱補強構造体のシート状部材が織布層を採用していることに起因している。すなわち、この構造では、たとえ、隣接するシート状部材同士の間にミシン目などを入れたとしても、ミシン目などが形成されていない部分の織布層に妨げられて、手だけでシート状部材同士を切り離すことは容易ではない。
【０００７】
従って、本考案は、上述した従来技術の問題点を解決するためになされたものであり、水つけ作業を省略することができると共に、強度を向上させたにもかかわらず、ロール状に巻かれた連続するシート状部材を所定長さに手のみで容易に切り離すことができる段ボール箱補強構造体を提供することを目的とする。
【０００８】
【課題を解決するための手段】
上記目的を達成するため、本考案の段ボール箱補強構造体は、把持部を構成する穴が設けられた段ボール箱の、前記穴の周囲部を補強するための段ボール箱補強構造体であって、ロール状に巻かれた、連続する複数のシート状部材を有し、隣接した前記シート状部材が切り離し容易な手段によって互いに連結され、各前記シート状部材が、支持体層と、該支持体層の一方の面に形成された強度向上層と、該強度向上層に形成された粘着剤層と、前記支持体層の他方の面に形成された剥離層とを有し、前記各シート状部材には、前記支持体層、強度向上層、粘着剤層及び剥離層を貫通する穴が形成されていることを特徴とする。
【０００９】
上記構成の段ボール箱補強構造体によれば、隣接したシート状部材同士が切り離し容易な手段によって互いに連結されているので、ロールの先端に位置するシート状部材を、これに続くシート状部材から容易に切り離すことができる。切り離したシート状部材の一方の最外層には粘着剤層が位置しているので、別個の作業を要することなしに、粘着剤層を補強すべき段ボール箱に直接貼りつけること、すなわち、強度が高められたシート状部材たる段ボール箱補強構造体を段ボール箱に直接貼りつけて段ボール箱の穴の周囲部を補強することができる。
【００１０】
本考案では、前記支持体層がクラフト紙で構成され、前記強度向上層がポリエチレンテレフタレートで構成され、前記粘着剤層が感圧接着剤で構成されているのが好ましい。
【００１１】
上記目的を達成するため、本考案の第２の段ボール箱補強構造体は、把持部を構成する穴が設けられた段ボール箱の、前記穴の周囲部を補強するための段ボール箱補強構造体であって、ロール状に巻かれた、連続する複数のシート状部材を有し、隣接した前記シート状部材が切り離し容易な手段によって互いに連結され、各前記シート状部材が、第１支持体層と、該第１支持体層の一方の面に形成された剥離層と、強度向上層と、前記第１支持体層の他方の面と前記強度向上層との間に配置された、前記第１支持体層と前記強度向上層との接着力を高めるための第１接着力向上層と、第２支持体層と、前記第２支持体層と前記強度向上層との間に配置された、前記第２支持体層と前記強度向上層との接着力を高めるための第２接着力向上層と、該第２接着力向上層が形成された面と反対側の面で前記第２支持体層に形成された粘着剤層とを有し、前記各シート状部材には、前記層の全てを貫通する穴が形成されていることを特徴とする。
【００１２】
上記構成の段ボール箱補強構造体によれば、隣接したシート状部材同士が切り離し容易な手段によって互いに連結されているので、ロールの先端に位置するシート状部材を、これに続くシート状部材から容易に切り離すことができる。切り離したシート状部材の一方の最外層には粘着剤層が位置しているので、別個の作業を要することなしに、粘着剤層を補強すべき段ボール箱に直接貼りつけること、すなわち、強度が高められたシート状部材たる段ボール箱補強構造体を段ボール箱に直接貼りつけて段ボール箱の穴の周囲部を補強することができる。
【００１３】
上記第２の段ボール箱補強構造体では、特に、第１支持体層に加えて第２支持体層を有する構成であるので、第２支持体層を有しない第１の段ボール箱補強構造体に比較して更に強度が高められ、段ボール箱の補強に有利である。
【００１４】
本考案では、前記第１支持体層と前記剥離層との間に配置された、前記剥離層を形成する物質が前記第１支持体層に含浸してしまうのを抑止するための含浸防止層を更に有するのが好ましい。
また、前記第１支持体層及び前記第２支持体層がクラフト紙で構成され、前記強度向上層がポリエチレンテレフタレートで構成され、前記粘着剤層が感圧接着剤で構成されているのが好ましい。
【００１５】
【考案の実施の形態】
以下、添付図面を参照して、本考案による段ボール箱補強構造体の実施形態について説明する。
図１に示す実施形態では、本考案の段ボール箱補強構造体１は、ロール状に巻かれた、複数の連続するシート状部材２によって構成されている。
隣接するシート状部材２同士の間にはミシン目３が形成され、ロールの先端部に位置するシート状部材２をこれと隣接する後続のシート状部材２からミシン目３にて手のみで容易に切り離すことができる。
【００１６】
隣接するシート状部材２同士の切り離しは、僅かな力を加えるだけで容易に行うことができる既知の任意の手段で良く、ミシン目３以外の、例えば、切れ目の形成や、薄肉化であっても良い。これらミシン目３等の手段を用いることによって、工具を必要とすることなしに、手のみで、隣接するシート状部材２同士を容易に切り離すことができるのは、後述するように、シート状部材２に繊維を用いない構成としたことによる。
シート状部材２には、補強すべき段ボール箱に形成された把持穴に対応する穴４が形成されている。この穴４は、シート状部材２を段ボール箱の把持穴の周囲に貼りつけたとき、把持穴を塞がないように寸法形状決めされ、把持穴と同一の寸法形状を有するのが好ましい。穴４が段ボール箱の把持穴に対して大きければ大きい程、段ボール箱に対する補強効果が低下してしまうことに留意すべきである。
【００１７】
図２は、段ボール箱補強構造体１を構成する各シート状部材２の積層構造を示す。
すなわち、シート状部材２は、支持体層１０を有し、本実施形態では、支持体層１０はクラフト紙によって作られているが、特にこれに限定されず、例えば、スパンボンド不織布を使用してもよい。
この支持体層１０には、図２で見たとき、その下面に強度向上層２０が形成されている。強度向上層２０は、支持体層１０、ひいては、シート状部材２（すなわち、段ボール箱補強構造体１）の強度を向上させるのに役立ち、本実施形態では、環境にもやさしいという観点からポリエチレンテレフタレートで形成されている。支持体層１０は、上述したように強度を向上させることができれば良いので、前述したポリエチレンテレフタレートに限らず、強度を向上させることができる任意の物質、素材、例えば、ポリプロピレンや、ポリ塩化ビニールを使用してもよい。
【００１８】
段ボール箱補強構造体１を構成する各シート状部材２はまた、強度向上層２０に形成された粘着剤層３０を有し、この粘着剤層３０は、本実施形態では、アクリル系の感圧接着剤で形成されている。粘着剤層３０は、特別な作業を要することなしに、シート状部材２を補強すべき段ボール箱にくっつけることができる物質によって形成されていれば足りる。
支持体層１０の上面には剥離層４０が形成され、この剥離層４０は、本実施形態では、シリコンで形成されている。しかし、剥離層４０は、粘着剤層３０に対して剥離性を有すれば足り、例えば、テフロン（登録商標）等で形成しても良い。
【００１９】
上記構造の段ボール箱補強構造体１、すなわち、この実施形態では、シート状部材２を使用するときには、ロールの先端部に位置するシート状部材２をこれと隣接する後続のシート状部材２からミシン目３にて切り離し、この切り離したシート状部材２の粘着剤層３０を、シート状部材２の穴４が補強すべき段ボール箱の把持穴を包囲するように、段ボール箱の内側面に貼りつける。
すると、この段ボール箱補強構造体１たるシート状部材２によって段ボール箱の把持穴の周囲部分が補強され、強度が高まり、段ボール箱の把持穴の周囲部分が破損し難くなる。
シート状部材２を段ボール箱の内側面に貼りつけるに当たっては、粘着剤層３０を段ボール箱に直接つけるだけでシート状部材２を段ボール箱に接着させることができ、貼りつけ作業が容易である。
【００２０】
次に、図３は、図２に示したシート状部材２の変形実施形態であるシート状部材１００の積層構造を示す。シート状部材１００は、シート状部材２と、積層構造が異なるに過ぎず、穴４が形成されていること、ロール状に巻かれていることはシート状部材２と同じである。
シート状部材１００は、第１支持体層１１０と、この第１支持体層１１０の一方の面、すなわち、（図３で見たとき）上面に形成された剥離層１４０とを有する。
【００２１】
シート状部材１００はまた、強度向上層１２０と、第１支持体層１１０の他方の面、すなわち、下面と強度向上層１２０との間に配置された、第１支持体層１１０と強度向上層１２０との接着力を高めるための第１接着力向上層１５０を有する。この実施形態では、第１接着力向上層１５０はポリエチレンで作られているけれども、第１支持体層１１０と強度向上層１２０との接着力を高めることができれば、その他の任意の物質、例えば、ホットメルト剤（エチレン・アクリル酸エステル共重合体）で作っても良い。
【００２２】
シート状部材１００は更に、第２支持体層１６０と、この第２支持体層１６０と強度向上層１２０との間に配置された、第２支持体層１６０と強度向上層１２０との接着力を高めるための第２接着力向上層１７０とを有し、第２支持体層１６０には、第２接着力向上層１７０が形成された面と反対側の面に、粘着剤層１８０が形成されている。
【００２３】
この実施形態では、第１支持体層１１０及び第２支持体層１６０は、シート状部材２における支持体層１０と同じく、クラフト紙で作られているけれど、クラフト紙以外の素材、物質を用いても良いこともまたシート状部材２における支持体層１０と同じである。他方、第１支持体層１１０及び第２支持体層１６０を互いに異なる素材等で作っても良い。
剥離層１４０はシリコンで形成されているが、シート状部材２におけるのと同様に、特にこれらに限定されない。
また、第２接着力向上層１７０は、この実施形態では、第１接着力向上層１５０と同じポリエチレンで作られているけれども、第１接着力向上層１５０と異なる物質で作っても良い。
【００２４】
強度向上層１２０、粘着剤層１８０もまた、シート状部材２における強度向上層２０、粘着剤層３０と同様に、夫々、ポリエチレンテレフタレート、アクリル系の感圧接着剤で形成されているけれども、特にこれらに限定されない。
尚、強度向上層１２０と、第１接着力向上層１５０、第２接着力向上層１７０とは、化学的に接着性の相性が良いものを使用しなければならないことに留意しなければならないことは当然である。
【００２５】
シート状部材１００の使用方法は、シート状部材２におけるのと全く同様であり、シート状部材１００が複数連続して巻かれたロールの先端部に位置するシート状部材１００をこれと隣接する後続のシート状部材１００からミシン目３にて切り離し、この切り離したシート状部材１００の粘着剤層１８０を、シート状部材１００に形成された穴４が補強すべき段ボール箱の把持穴を包囲するように、段ボール箱の内側面に貼りつけるだけである。
【００２６】
最後に、図４もまた、図２、図３に夫々示したシート状部材２、１００の変形実施形態であるシート状部材２００の積層構造を示す。すなわち、シート状部材２００は、シート状部材２、１００と同様に、穴４が形成されていること、ロール状に巻かれていることはシート状部材２、１００と同じである。
そして、積層構造において、シート状部材２００はシート状部材１００と次の点で異なるに過ぎない。すなわち、シート状部材２００は、シート状部材１００の第１支持体層１１０と剥離層１４０との間に配置された、剥離層１４０を形成する物質が第１支持体層１１０に含浸してしまうのを抑止するための含浸防止層２１０を有する。この実施形態では、含浸防止層２１０はポリエチレンで作られているけれども、別個の物質、例えば、ポバールで作っても良い。
【００２７】
本考案は、上述した実施形態に限定されることなく、種々の変更が可能である。
例えば、シート状部材２、１００、２００に形成される穴４の形状は任意であり、例えば矩形でも良い。
【００２８】
【考案の効果】
以上のとおり、本考案は、水つけ作業を省略することができると共に、強度を向上させたにもかかわらず、ロール状に巻かれた連続するシート状部材を所定長さに手のみで容易に切り離すことができる段ボール箱補強構造体を提供することができる。
【図面の簡単な説明】
【図１】本発明による段ボール箱補強構造体の一実施形態の概略断面図である。
【図２】図１に示すシート状部材の積層構造を示す概略部分断面図である。
【図３】第２実施形態のシート状部材の積層構造を示す概略部分断面図である。
【図４】第３実施形態のシート状部材の積層構造を示す概略部分断面図である。
【符号の説明】
１　段ボール箱補強構造体
２　シート状部材
３　ミシン目（切り離し容易な手段）
１０　支持体層
２０　強度向上層
３０　粘着剤層
４０　剥離層
【図１】
0003099450.tif 000003
【図２】
0003099450.tif 000004
【図３】
0003099450.tif 000005
【図４】
0003099450.tif 000006